(57)【要約】【課題】パチンコ台やスロットマシン等の遊技機が設置されるホールに設備されるタバコの吸殻等の回収装置であって、その内面部にタバコの吸殻等が吸着して溜まることにより回収が困難化するのを可能な限り防止すると共に、吸殻を運ぶコンベヤの摩擦が大きくなって走行に支障が生じることも可能な限り防止する。【解決手段】被回収物を移送するコンベヤが装着されるチャンネル部材と、そのチャンネル部材の開口部を開閉可能に被覆しうるカバー部材とが具えられ、上記チャンネル部材と上記カバー部材の内面部における幅方向の複数箇所と高さ方向の複数箇所とに、それぞれ長さ方向に沿って突条部が設けられる。【選択図】        図１
2005013399.tif 000002
【特許請求の範囲】
【請求項１】
被回収物を移送するコンベヤが装着されるチャンネル部材と、そのチャンネル部材の開口部を開閉可能に被覆しうるカバー部材とが具えられ、上記チャンネル部材と上記カバー部材の内面部における幅方向の複数箇所と高さ方向の複数箇所とに、それぞれ長さ方向に沿って突条部が設けられたことを特徴とする回収装置。
【請求項２】
上記突条部は先端部が断面円弧状の曲面に形成されていることを特徴とする請求項１記載の回収装置。
【請求項３】
上記突条部は、上記チャンネル部材における天板部と側板部及び上記ガイド板部とにそれぞれ形成されると共に、上記カバー部材における上記側板部と上記底板部とにそれぞれ形成されていることを特徴とする請求項１、２又は３記載の回収装置。
【請求項４】
上記コンベヤはタバコの吸殻を被回収物として移送するものであって、上記チャンネル部材は遊技機の前面部に設けられる台の下側に取付けられると共に、その台の上に設置された灰皿と連通する孔部が上記天板部に設けられ、灰皿に入れられたタバコの吸殻は上記孔部を通って上記コンベヤの上に落下しうるように形成されていることを特徴とする請求項１、２、３又は４記載の回収装置。
【発明の詳細な説明】
【０００１】
【発明の属する技術分野】
本発明は回収装置に係り、特に、遊技機が設置されるホールに設備されるタバコの吸殻等の回収装置に関する。
【０００２】
【従来の技術】
例えば、パチンコ店などでは、タバコを吸いながらパチンコやスロットマシン等の遊技機で遊ぶ客が多い。しかしながら、タバコの煙や臭いを嫌悪する客も多い。
そこで、タバコの吸殻等を回収して、店の室内環境を快適にするための回収装置を、例えばパチンコ台やスロットマシンなどの遊技機の傍に設置する店が増えている。
【０００３】
このような回収装置として、遊技機の前面部に設けられる台の下側に取付けるタバコの吸殻等回収装置が存在する。この装置は、台に設けた灰皿から落下する吸殻等を載せて運び去るものであって、内部にベルト等のコンベヤを収納するチャンネル部材と、そのチャンネル部材の開口部を覆うカバー部材とを具えて構成されている。
【０００４】
しかしながら、上記の回収装置を長期間にわたって使用すると、チャンネル部材やカバー部材の内面全体にタバコのヤニに含まれる粘性物質が付着するので、タバコの吸殻等が吸着しやすくなるという不具合があった。
また、客によっては飲み物の残りなどを灰皿の中に捨てる者もあり、これも回収装置の内部がベタつく原因になっていた。
したがって、回収装置の内面部には多数の吸殻等が吸着して溜まり、コンベヤによって運び去ることが困難になり、不快な臭いを発生して環境が悪化するという不具合があった。
【０００５】
また、コンベヤもチャンネル部材やカバー部材との接触部が粘性物質によって吸着され、その結果摩擦が大きくなるので、動きが重くなり、走行に支障を生じるという不具合があった。
【０００６】
なお、本出願人は、上記のような不具合を解消できる回収装置を調査したが、関連する先行技術文献を検索できなかった。
【０００７】
【発明が解決しようとする課題】
本発明は、内面部にタバコの吸殻等が吸着して溜まることにより回収が困難化するのを可能な限り防止することができると共に、コンベヤの摩擦が大きくなって走行に支障が生じることも可能な限り防止できる回収装置の提供を課題とする。
【０００８】
【課題を解決するための手段】
上記課題を解決するために、本発明の回収装置は、被回収物を移送するコンベヤが装着されるチャンネル部材と、そのチャンネル部材の開口部を開閉可能に被覆しうるカバー部材とが具えられ、上記チャンネル部材と上記カバー部材の内面部における幅方向の複数箇所と高さ方向の複数箇所とに、それぞれ長さ方向に沿って突条部が設けられたことを特徴とするものである。
【０００９】
これにより、本発明に係る回収装置にあっては、上記突条部の先端部に被回収物に含まれる粘性物質がたとえ付着しても、その突起部の先端部の面積が小さいので粘性物質の量も従来に比べ格段に少なくなって、タバコの吸殻等が吸着しにくくなる。
【００１０】
また、本発明の回収装置は、上記突条部の先端部が断面円弧状の曲面に形成されているものとすることができる。
【００１１】
これにより、本発明に係る回収装置にあっては、タバコの吸殻等が接触する上記突条部の先端部の面積がより小さくなって粘性物質の付着量もより少なくなるので、タバコの吸殻等がさらに吸着しにくくなる。
また、突条部が先鋭でないので、内部を洗浄する場合などに手に触れても危険が少ない。
【００１２】
なお、本発明の回収装置では、上記チャンネル部材は、上記コンベヤがその上下を走行するガイド板部を有すると共に開口部が側方に形成されて取付部材に固定され、上記カバー部材は、上記チャンネル部材の側方開口部を覆う側板部と上記チャンネル部材のガイド板部の下方を覆う底板部とを有し、上記カバー部材は、上記底板部の幅方向端部と上記側板部の上端部とが上記チャンネル部材における幅方向の両端部に対し着脱可能に接続しうるように形成されているものとすることができる。
【００１３】
これにより、本発明に係る回収装置にあっては、上記突条部の先端部に粘性物質が付着しても、上記カバー部材を上記チャンネル部材から取り外して、それらの内面部に形成された突条部の先端部を洗浄することができる。
【００１４】
また、本発明の回収装置では、上記突条部は、上記チャンネル部材における天板部と側板部及び上記ガイド板部とにそれぞれ形成されると共に、上記カバー部材における上記側板部と上記底板部とにそれぞれ形成されているものとすることができる。
【００１５】
これにより、本発明に係る回収装置にあっては、タバコの吸殻等を内部に落下させたときに、上方や側方へ跳ねて飛んだ場合であっても、また、天板部又は側板部内面にタバコの火先側端部が接触する場合であっても、天板部と側板部に突条部が形成されているので、どの部位にもタバコの吸殻等が吸着しにくくなる。
また、上記チャンネル部材のガイド板部と、上記カバー部材の底板部とに突起部が形成されたことにより、上記ガイド板部の上下を走行する上記コンベヤが接触しても摩擦抵抗を減少することができる。
【００１６】
また、本発明の回収装置は、上記コンベヤがタバコの吸殻を被回収物として移送するものであって、上記チャンネル部材は遊技機の前面部に設けられる台の下側に取付けられると共に、その台の上に設置された灰皿と連通する孔部が上記天板部に設けられ、灰皿に入れられたタバコの吸殻が孔部を通って上記コンベヤの上に落下しうるように形成されているものとすることができる。
【００１７】
これにより、本発明に係る回収装置にあっては、遊技機で遊ぶ客が吸うタバコの吸殻等を容易に回収できるので、タバコを嫌悪する客でもホールで快適に遊ぶことが可能となる。
【００１８】
【発明の実施の形態】
以下、添付した図面を用いて本発明の実施の形態について説明する。
まず、本実施の形態に係る回収装置１は、図１及び図２に示すように、被回収物を移送するコンベヤ２が装着されるチャンネル部材３と、そのチャンネル部材３の開口部４を開閉可能に被覆しうるカバー部材５とが具えられ、上記チャンネル部材３と上記カバー部材５の内面部における幅方向の複数箇所と高さ方向の複数箇所とに、それぞれ長さ方向に沿って突条部６ａ，６ｂ，６ｃ，６ｄ，６ｅが設けられている。
そして、上記突条部６ａ，６ｂ，６ｃ，６ｄ，６ｅは、図２に示すように、先端部が横断面円弧状の曲面に形成されている。
また、上記チャンネル部材３は、図１及び図２に示すように、外方側板部３０及び内方側板部３１と、外方側板部３０、内方側板部３１の上端部から直交して延設された天板部１１と、内方側板部３１の下方部から直交して天板部１１と平行に延設されたガイド板部７とを有する。その結果、天板部１１先端部と、ガイド板部７先端部との間には空隙があり、開口部４が形成されている。上記ガイド板部７はその上面側及び下面側をコンベヤ２が走行するように構成されている。
上記カバー部材５は、上記チャンネル部材３の側方開口部４を覆う側板部９と上記チャンネル部材３のガイド板部７の下方を覆う底板部１０とが設けられ、上記カバー部材５における上記底板部１０の幅方向端部と上記側板部９の上端部とが上記チャンネル部材３に対し着脱可能に接続しうるように形成されている。
また、上記突条部６ａ，６ｂ，６ｃ，６ｄ，６ｅは、図２に示すように、上記チャンネル部材３における天板部１１と、側板部１２と、上記ガイド板部７にそれぞれ形成されると共に、上記カバー部材５における上記側板部９と、上記底板部１０とにそれぞれ形成されている。
また、上記コンベヤ２はタバコの吸殻を被回収物として移送するものであって、図１及び図３に示すように、上記チャンネル部材３は遊技機１３の前面部に設けられる台１４の下側に取付けられると共に、その台１４の上に設置された灰皿１５と連通する孔部１６が上記天板部１１に設けられ、灰皿１５に入れられたタバコの吸殻は孔部１６を通って上記コンベヤ２の上に落下しうるように形成されている。
【００１９】
本実施形態に係る回収装置１は、図３に示すように、パチンコ台やスロットマシン等の遊技機１３の前に、玉箱などを置くために設けられた台１４の下面側に取付けられている。すなわち、台１４が上記取付部材８とされている。
【００２０】
上記台１４の上面側には、図３に示すように、適宜な間隔で各客が座る位置の近傍に灰皿１５が設置され、その灰皿１５に入れたタバコの吸殻等は、図１に示すように、台１４に形成された孔部２８を通過して上記回収装置１の内部に落下しうるようになっている。
【００２１】
上記回収装置１は、図１及び図２に示すように、上記台１４の下面側に取付けられるチャンネル部材３と、そのチャンネル部材３に組み付けられるカバー部材５とを具えて構成されている。
【００２２】
上記チャンネル部材３と上記カバー部材５は、図３に示すように、共に複数本を横方向に並べて連続させることにより、複数台が並列状に設置された遊技機１３の前に一連に配置されている。
【００２３】
上記チャンネル部材３はアルミ等の金属で成形され、図２に示すように、天板部１１と、遊技機１３側の側方に位置する側板部１２と、その側板部１２の下端部から反対方向へ水平に突設されたガイド板部７とを有し、上記側板部１２の反対側の側方には開口部４が形成されている。
【００２４】
また、上記チャンネル部材３は、図２に示すように、上記天板部１１における幅方向の両端にそれぞれ外方へ突出する取付片部１７，１８が設けられて、チャンネル部材３はその取付片部１７，１８により、図１に示すように、ビス１９，２０で上記台１４の下面側に固着されている。
【００２５】
上記取付片部１８の内方端部には下方へ突出する係合突部２９が設けられると共に、上記内方側板部３１の下端部には内方へ膨出する段部３２が形成され、この段部３２の下端には内方へ突出する係合片３３が設けられている。さらに、上記外方側板部３０の下端には内方へ突出するように断面形成されたフック受部２２が設けられている。
【００２６】
また、上記カバー部材５もアルミ等の金属で成形され、図２に示すように、上記チャンネル部材３の開口部４を開閉可能に覆う側板部９と、上記チャンネル部材３のガイド板部７の下方を覆う底板部１０とを有している。
【００２７】
上記側板部９の上端部には上記係合突部２９と係合しうる係止部３４が設けられると共に、上記底板部１０の先端部には上記係合片３３を収容しうるコ字状断面の接合部３５が形成されている。
【００２８】
上記カバー部材５は上記チャンネル部材３に対し、図１に示すように、上記側板部９の上端に形成された係止部３４を上記係合部２９に係合させると共に、底板部１０の先端部に形成された上記係合片３５に上記係合片３３を収容させることにより、組み付けることができる。
【００２９】
なお、カバー部材５を固定するために、図１に示すように、カバー部材５の外側を押え止めしうる係止部材２１が、図３に示すように、カバー部材５の長さ方向の複数箇所に装着されている。
【００３０】
上記係止部材２１は弾性変形容易な素材で成形され、図１に示すように、上記チャンネル部材３における上記側板部１２の下方部と上記取付片部１８の先端部にそれぞれ形成されたフック受部２２，２３に対しそれぞれ係止可能なフック部２４，２５が両端に形成されている。
【００３１】
なお、本実施形態では、上記の係止部材２１を用いて上記カバー部材５を固定しているが、上記係止部材２１を使用せずに、上記カバー部材５における上記底板部１０の先端部と、上記側板部９の上端部とをそれぞれ上記チャンネル部材３に対し係止可能とする実施形態も可能である。
また、上記カバー部材５における上記底板部１０の先端部を上記チャンネル部材３における上記側板部１２の下方位置に回動しうるように連結すると共に、上記側板部９の上端部を上記チャンネル部材３に対し係止可能とする実施形態も可能である
【００３２】
上記チャンネル部材３は、図１に示すように、上記天板部１１と、上記側板部１２と、上記ガイド板部７との間が、上記コンベヤ２の往路用収納部２６として形成されると共に、上記ガイド板部７と、上記カバー部材５の底板部１０との間が、上記コンベヤ２の復路用収納部２７に形成されている。
【００３３】
すなわち、上記コンベヤ２は所定の長さ寸法のループ状に形成されていて、上記ガイド板部７の上下を走行循環するように収納されている。
【００３４】
上記チャンネル部材３は、図１及び図２に示すように、上記天板部１１において上記灰皿１５の真下位置に孔部１６が形成されている。上記のように、上記台１４にも灰皿１５の真下に孔部２８が設けられていて、上記チャンネル部材３は、天板部１１に形成された上記孔部１６が台１４の孔部２８と連通するように配置されている。
【００３５】
また、上記灰皿１５の底には上記台１４の孔部２８と連通する孔部（図は省略）が形成されていて、灰皿１５に入れたタバコの吸殻等は、台１４の孔部２８と、上記天板部１１の孔部１６を通過して、上記往路用収納部２６内のコンベヤ２の上に落下することになる。
【００３６】
上記チャンネル部材３は、図１及び図２に示すように、上記天板部１１の下面における幅方向の複数箇所に、適宜な間隔で、チャンネル部材３の長さ方向に沿う複数の突条部６ａが形成されている。なお、突条部６ａと他の突条部６ａとの間隔は６ｍｍ、突条部６ａの肉厚は１ｍｍ、突条部６ａの突出高さは２ｍｍの寸法に設定されている。
【００３７】
また、上記チャンネル部材３は、上記側板部１２の内面における高さ方向の複数箇所にも、適宜な間隔で、チャンネル部材３の長さ方向に沿う突条部６ｂが形成されている。なお、突条部６ｂと他の突条部６ｂとの間隔、突条部６ｂの肉厚、及び突条部６ｂの突出高さは、上記の天板部１１に設けられた突条部６ａと同一寸法に設定されている。
【００３８】
さらに、上記チャンネル部材３は、上記ガイド板部７の上面における幅方向の複数箇所に、適宜な間隔で、チャンネル部材３の長さ方向に沿う突条部６ｃが形成されている。なお、突条部６ｃと他の突条部６ｃとの間隔は１１ｍｍ、突条部６ｃの肉厚は２ｍｍ、突条部６ｃの突出高さは２ｍｍの寸法に設定されている。
【００３９】
また、上記カバー部材５は、図１及び図２に示すように、上記側板部９の内面における高さ方向の複数箇所に、適宜な間隔で、カバー部材５の長さ方向に沿う突条部６ｄが形成されている。なお、突条部６ｄと他の突条部６ｄとの間隔は６ｍｍ、突条部６ｄの肉厚は１ｍｍ、突条部６ｄの突出高さは２ｍｍの寸法に設定されている。
【００４０】
さらに、上記カバー部材５は、図１及び図２に示すように、上記底板部１０の上面における幅方向の複数箇所にも、適宜な間隔で、カバー部材５の長さ方向に沿う突条部６ｅが形成されている。なお、突条部６ｅと他の突条部６ｅとの間隔は１１ｍｍ、突条部６ｅの肉厚は２ｍｍ、突条部６ｅの突出高さは２ｍｍの寸法に設定されている。
【００４１】
なお、上記の各突条部６ａ，６ｂ，６ｃ，６ｄ，６ｅの寸法は上記の各値に限定されるものではないが、タバコの吸殻がチャンネル部材３やカバー部材５の内面部における上記の各突条部６ａ，６ｂ，６ｃ，６ｄ，６ｅ以外の部位に吸着するのを防止するには、上記の各寸法が最適である。
【００４２】
また、上記の各突条部６ａ，６ｂ，６ｃ，６ｄ，６ｅは、図２に示すように、その先端部が断面円弧状の曲面に形成されている。
【００４３】
なお、上記回収装置１の長さ方向の一端には、上記コンベヤ２を駆動するモータ（図は省略）等が配され、上記回収装置１の長さ方向の他端には、吸殻等回収ボックス（図は省略）が設置されている。
【００４４】
すなわち、上記灰皿１５に吸殻等を入れると、その灰皿１５から上記台１４の孔部２８と上記チャンネル部材３の天板部１１に形成された孔部１６とを通過した吸殻等が、上記チャンネル部材５の中に落ちて上記コンベヤ２の上に載り、そのコンベヤ２により上記吸殻等回収ボックスへ送られて回収されることになる。
【００４５】
【作用】
以下、本実施の形態に係る回収装置１の作用について説明する。
上記のように、上記灰皿１５に吸殻等を入れると、その吸殻等は上記回収装置１の内部に落ちてコンベヤ２によって回収ボックスまで運ばれる。
この回収作業を長期間おこなっていると、上記チャンネル部材３と上記カバー部材５の内面部にタバコのヤニに含まれる粘性物質が付着した状態となり、コンベヤ２の上に落ちて上方や側方へ跳ねたタバコの吸殻等が、上記チャンネル部材３の天板部１１や側板部１２及び上記カバー部材５の側板部９等に接触して吸着され、回収が不可能になる不具合がある。
【００４６】
しかしながら、本実施の形態に係る上記回収装置１は、灰皿１５からコンベヤ２の上に落ちて上方や側方へ跳ねたタバコの吸殻等は、上記チャンネル部材３の天板部１１に設けられた突状部６ａや、側板部１２に設けられた突状部６ｂや、上記カバー部材５の側板部９に設けられた突状部６ｄの先端部に接触することになる。そして、これら突状部６ａ，６ｂ，６ｄの先端部の面積は小さいので、たとえ、その先端部に粘性物質が付着しても、その粘性物質の量は少なくて吸着力が小さいので、タバコの吸殻等を吸着して保持することが困難である。
【００４７】
したがって、タバコの吸殻等は上記チャンネル部材３の天板部１１と側板部１２、及び上記カバー部材５の側板部９には吸着されず、上記コンベヤ２の上に再び落下して回収ボックスへ運ばれることになる。
【００４８】
また、上記チャンネル部材３のガイド板部７の上方及び下方をコンベヤ２が走行する際に、そのコンベヤ２は上記ガイド板部７の上面部と、上記カバー部材５の底板部１０の上面部に接触する場合がある。このとき、上記ガイド板部７の上面部や、上記カバー部材５の底板部１０の上面部に粘性物質が付着していると、当該粘性物質がコンベヤ２の走行を阻害し、場合によっては走行が不可能になる不具合がある。
【００４９】
しかしながら、本実施の形態に係る上記回収装置１は、上記ガイド板部７の上面部と、上記カバー部材５の底板部１０の上面部にそれぞれ突条部６ｃ，６ｅが形成されているので、吸殻等を搬送する場合には、コンベヤ２はそれら突条部６ｃ，６ｅの先端部に適宜接触しながら搬送することになる。
【００５０】
そして、それら突条部６ｃ，６ｅの先端部の面積は小さく、たとえ、それら突条部６ｃ，６ｅの先端部に粘性物質が付着してもその量は少ないので、その粘着力は弱い。したがって、コンベヤ２は上記ガイド板部７の上面部と、上記カバー部材５の底板部１０の上面部に吸着されにくくなり、走行に支障を来たすという事態は防止される。
【００５１】
【発明の効果】
請求項１記載の本発明の回収装置は、被回収物を移送するコンベヤが装着されるチャンネル部材と、そのチャンネル部材の開口部を開閉可能に被覆しうるカバー部材とが具えられ、上記チャンネル部材と上記カバー部材の内面部における幅方向の複数箇所と高さ方向の複数箇所とに、それぞれ上記チャンネル部材と上記カバー部材の長さ方向に沿って突条部が設けられたので、上記突条部の先端部にタバコ等の被回収物に含まれる粘性物質がたとえ付着しても、その突条部の先端部の面積は小さいので粘性物質の量も少量で、タバコの吸殻等が吸着しにくくなる。
したがって、回収装置内部にタバコの吸殻等が溜まって回収不能になる事態を防止することができる。
【００５２】
請求項２記載の本発明の回収装置は、上記突条部の先端部が断面円弧状の曲面に形成されているので、タバコの吸殻等が接触する上記突条部の先端部の面積がより小さくなって粘性物質の付着量もより少なくなるので、タバコの吸殻等がさらに吸着しにくくなる。
また、突条部が先鋭でないので、回収装置の内部を洗浄する場合などに手に触れても危険が少ない。
【００５３】
なお、上記チャンネル部材が、上記コンベヤがその上下を走行するガイド板部を有すると共に開口部が側方に形成されて取付部材に固定され、上記カバー部材は、上記チャンネル部材の側方開口部を覆う側板部と上記チャンネル部材のガイド板部の下方を覆う底板部とを有し、上記カバー部材は、上記底板部の幅方向端部と上記側板部の上端部とが上記チャンネル部材における幅方向の両端部に対し着脱可能に接続しうるように形成されれば、上記突条部の先端部に粘性物質が付着しても、上記カバー部材を上記チャンネル部材から取り外して、それらの内面部に形成された突条部の先端部を容易に洗浄することができる。
【００５４】
請求項３記載の本発明の回収装置にあっては、上記突条部は、上記チャンネル部材における天板部と側板部及び上記ガイド板部とにそれぞれ形成されると共に、上記カバー部材における上記側板部と上記底板部とにそれぞれ形成されているので、タバコの吸殻等を内部に落下させたときに、上方や側方へ跳ねても、天板部と側板部に突条部が形成されていることから、どの部位にもタバコの吸殻等が吸着しにくくなる。
また、上記チャンネル部材のガイド板部と、上記カバー部材の底板部とに突条部が形成されたことにより、上記ガイド板部の上下を走行する上記コンベヤが接触しても摩擦が小さいので、コンベヤの走行に支障を来たすといった事態を防止することができる。
【００５５】
請求項４記載の本発明の回収装置にあっては、上記コンベヤはタバコの吸殻を被回収物として移送するものであって、上記チャンネル部材は遊技機の前面部に設けられる台の下側に取付けられると共に、その台の上に設置された灰皿と連通する孔部が上記天板部に設けられ、灰皿に入れられたタバコの吸殻は上記孔部を通って上記コンベヤの上に落下しうるように形成されているので、遊技機で遊ぶ客が吸うタバコの吸殻を容易に回収できるので、タバコを嫌悪する客でもホールで快適に遊ぶことが可能となる。
【図面の簡単な説明】
【図１】本実施の形態に係る回収装置が遊技機の前の台の下側に取り付けられた状態を示す断面図である。
【図２】本実施の形態に係る回収装置のチャンネル部材とカバー部材が分離した状態の断面図である。
【図３】本実施の形態に係る回収装置が遊技機の前の台の下側に取り付けられた状態を示す正面図である。
【符号の説明】
１  回収装置
２  コンベヤ
３  チャンネル部材
４  開口部
５  カバー部材
６ａ  突条部
６ｂ  突条部
６ｃ  突条部
６ｄ  突条部
６ｅ  突条部
７  ガイド板部
８  取付部材
９  側板部
１０  底板部
１１  天板部
１２  側板部
１３  遊技機
１４  台
１５  灰皿
１６  孔部
１７  取付片部
１８  取付片部
１９  ビス
２０  ビス
２１  係止部材
２２  フック受部
２３  フック受部
２４  フック部
２５  フック部
２６  コンベヤの往路収納部
２７  コンベヤの復路収納部
２８  孔部
２９  係合突部
３０  外方側板部
３１  内方側板部
３２  段部
３３  係合片
３４  係止部
３５  接合部
【図１】
2005013399.tif 000003
【図２】
2005013399.tif 000004
【図３】
2005013399.tif 000005